(57)【要約】【課題】本発明は知能倉庫運輸システムを開示した。【解決手段】運輸台、前記運輸台と接続する係着端と前記係着端と接続する電気吸盤を含み、前記係着端の底端面の中心に電気ブロックが設置され、前記係着端の底端面の右側に第一斜面が設置され、前記係着端の右端面に右に向かうロック溝が設置され、前記運輸台の頂端面の中心に前記係着端を挿入し係合し接続する係着溝が設置され、前記係着溝の底端壁の中心に前記電気ブロックと係合し接続する電気穴が設置され、本発明の全体構造が簡単で、設計が安全で合理的で、電気吸盤を通電し吸着する同時に電気吸盤をロックし、電気吸盤が通電し接触不良などの電気現象で感電事故が発生することを避けて、現在の生活の中の感電事故を大きく減らし、電気吸盤が通電する時の安全性と安定性を保証し、電気吸盤の吸着効率を高める。【選択図】図3
2019182645.tif 000002
【特許請求の範囲】
【請求項１】
知能倉庫運輸システムであって、運輸台、前記運輸台と接続する係着端と前記係着端と接続する電気吸盤を含み、前記係着端の底端面の中心に電気ブロックが設置され、前記係着端の底端面の右側に第一斜面が設置され、前記係着端の右端面に右に向かうロック溝が設置され、前記運輸台の頂端面の中心に前記係着端を挿入し係合し接続する係着溝が設置され、前記係着溝の底端壁の中心に前記電気ブロックと係合し接続する電気穴が設置され、前記係着溝の右側に第一滑り移動溝が設置され、前記第一滑り移動溝の上端に上に向かう前記運輸台の外部と連結する開筐体が設置され、前記第一滑り移動溝の右端壁にキャビティが設置され、前記第一滑り移動溝に左右にスライド可能に滑り移動板が設置され、前記滑り移動板の上端面に前記開筐体と摺動可能なように係合して接続する上に伸びる滑り押しレバーが設置され、前記滑り移動板の頂端面左側に前記第一斜面と当接しスライド可能なように係合する第二斜面が設置され、前記滑り移動板の右端に第一弾圧件が接続され、前記第一弾圧件が前記滑り移動板と離れる一端が前記キャビティの右端壁に接続し、前記運輸台の中に前記係着溝の下側に伝達溝が設置され、前記伝達溝の右端に推移装置が設置され、前記伝達溝に左右にスライドできる滑り移動台が設置され、前記伝達溝の左端壁に上下対称に上電気ブロックと下電気ブロックが設置され、前記滑り移動台の左端面に上下対称に前記上電気ブロックと前記下電気ブロックと係合し接続し通電する上電気筐体と下電気筐体が設置され、前記上電気ブロックが前記電気穴と電気的に接続し、前記下電気ブロックが商用電源と接続し、前記上電気筐体が前記下電気筐体と互いに電気的に接続し、前記推移装置は前記伝達溝と前記運輸台の外部を連結する開筐体と前記開筐体に設置される推移レバーを含み、前記開筐体の左端にパネルが固定的に設置され、前記推移レバーの左端が前記パネルを通り抜けて前記パネルと左右に摺動可能なように係合して接続し、前記推移レバーの左端が前記滑り移動台と固定的に接続し、前記推移レバーの左端位置に近づく所に凸角が固定的に設置され、前記推移レバーに前記パネルと前記凸角の間に位置する所に第二弾圧件が周設され、前記推移レバーの下端に前記推移レバーとヒンジで連結するロックレバーが設置され、前記運輸台の下端面に前記開筐体と連結する弧辺ロック溝が設置され、前記ロックレバーのロック部が回転可能なように前記弧辺ロック溝に挿入し、前記第一斜面と前記第二斜面の傾斜角度が同一であり、前記ロック溝が前記第一滑り移動溝のノッチ面積が同じであることを特徴とする知能倉庫運輸システム。
【発明の詳細な説明】
【技術分野】
【０００１】
本発明は倉庫運輸分野に関し、具体的には知能倉庫運輸システムに関する。
【背景技術】
【０００２】
大型の倉庫は常に輸送車を使って、貨物を便利に保存し輸送するため、輸送車の頂面が平面に設置され、貨物を積み込んだ後にロープなどで縛って、操作が複雑で、仕事効率が低い。
【先行技術文献】
【特許文献】
【０００３】
【特許文献１】中国特許出願公開第104571044号明細書
【発明の概要】
【発明が解決しようとする課題】
【０００４】
本発明は解決する必要な技術問題に対して知能倉庫運輸システムを提供し、それは上記の現在の技術問題を解決できる。
【課題を解決するための手段】
【０００５】
上記の問題を解決するため、本発明は以下の技術方案を採用する。
【０００６】
本発明の知能倉庫運輸システムは運輸台、前記運輸台と接続する係着端と前記係着端と接続する電気吸盤を含み、前記係着端の底端面の中心に電気ブロックが設置され、前記係着端の底端面の右側に第一斜面が設置され、前記係着端の右端面に右に向かうロック溝が設置され、前記運輸台の頂端面の中心に前記係着端を挿入し係合し接続する係着溝が設置され、前記係着溝の底端壁の中心に前記電気ブロックと係合し接続する電気穴が設置され、前記係着溝の右側に第一滑り移動溝が設置され、前記第一滑り移動溝の上端に上に向かう前記運輸台の外部と連結する開筐体が設置され、前記第一滑り移動溝の右端壁にキャビティが設置され、前記第一滑り移動溝に左右にスライド可能に滑り移動板が設置され、前記滑り移動板の上端面に前記開筐体と摺動可能なように係合して接続する上に伸びる滑り押しレバーが設置され、前記滑り移動板の頂端面左側に前記第一斜面と当接しスライド可能なように係合する第二斜面が設置され、前記滑り移動板の右端に第一弾圧件が接続され、前記第一弾圧件が前記滑り移動板と離れる一端が前記キャビティの右端壁に接続し、前記運輸台の中に前記係着溝の下側に伝達溝が設置され、前記伝達溝の右端に推移装置が設置され、前記伝達溝に左右にスライドできる滑り移動台が設置され、前記伝達溝の左端壁に上下対称に上電気ブロックと下電気ブロックが設置され、前記滑り移動台の左端面に上下対称に前記上電気ブロックと前記下電気ブロックと係合し接続し通電する上電気筐体と下電気筐体が設置され、前記上電気ブロックが前記電気穴と電気的に接続し、前記下電気ブロックが商用電源と接続し、前記上電気筐体が前記下電気筐体と互いに電気的に接続する。
【０００７】
好ましい技術方案として前記推移装置は前記伝達溝と前記運輸台の外部を連結する開筐体と前記開筐体に設置される推移レバーを含み、前記開筐体の左端にパネルが固定的に設置され、前記推移レバーの左端が前記パネルを通り抜けて前記パネルと左右に摺動可能なように係合して接続し、前記推移レバーの左端が前記滑り移動台と固定的に接続し、前記推移レバーの左端位置に近づく所に凸角が固定的に設置され、前記推移レバーに前記パネルと前記凸角の間に位置する所に第二弾圧件が周設され、前記推移レバーの下端に前記推移レバーとヒンジで連結するロックレバーが設置され、前記運輸台の下端面に前記開筐体と連結する弧辺ロック溝が設置され、前記ロックレバーのロック部が回転可能なように前記弧辺ロック溝に挿入する。
【０００８】
好ましい技術方案として前記第一斜面と前記第二斜面の傾斜角度が同一であり、前記ロック溝が前記第一滑り移動溝のノッチ面積が同じである。
【０００９】
本発明の有益な効果は、以下の通りである。1. 係着端と係着溝と正確に合わせて、徐々に係着溝に挿入し、係着端が係着溝に挿入し第一斜面と第二斜面に当接しスライド可能に係合させ、これにより係着端を通じて滑り移動板を右水平に押して、この同時に係着端が係着溝が係合し接続する状態にあり、電気ブロックが電気穴が係合し接続する状態にあり、ロック溝と第一滑り移動溝が相対状態にあり、第一弾圧件の押圧作用のもとで、滑り移動板がロック溝に挿入し係合し接続し係着端を係着溝にロックし、これにより係着端が運輸台の接続安定性を確保し、その後に推移レバーが滑り移動台を左にスライドさせ、推移レバーの押動作用のもとで滑り移動台が伝達溝の一番左端に位置し、上電気ブロックと下電気ブロックがそれぞれ上電気筐体と下電気筐体と係合し接続し通電し、これにより電気穴を通電し、電気ブロックを通電し、これにより電気吸盤に電力供給し、同時にロックレバーが回転可能なように弧辺ロック溝に挿入し推移レバーの位置をロックし、これにより電気吸盤の通電の安定性を保証し、電機吸盤に安置される貨物棚を吸着することが便利である。
【００１０】
2. ロックレバーを下に回転可能なようにし、第二弾圧件の押圧作用のもとでロックレバーが右に押動され、ロックレバーが右に押動し滑り移動台と連動して右にスライドし、これにより上電気ブロックと下電気ブロックがそれぞれ上電気筐体と下電気筐体と離脱し係合し接続し、これにより電気穴を通電し、これにより電気吸盤を通電し、その後に推移レバーを右に押動し、これにより滑り移動板がロック溝との係合接続から離脱し、係着端のロックを解除し、その後に係着溝の中から係着端を引き抜いたら係着端が係着溝との係合接続から離脱し、その後に推移レバーを緩めて、第一弾圧件の押圧作用のもとで、滑り移動板が左に押動され初期位置状態に戻って、これにより次に電気吸盤を通電し吸着することが便利で、これにより電気吸盤の通電吸着の安全性を高める。
【００１１】
3. 本発明の全体構造が簡単で、設計が安全で合理的で、電気吸盤を通電し吸着する同時に電気吸盤をロックし、電気吸盤が通電し接触不良などの電気現象で感電事故が発生することを避けて、現在の生活の中の感電事故を大きく減らし、電気吸盤が通電する時の安全性と安定性を保証し、電気吸盤の吸着効率を高める。
【００１２】
以上に本発明の基本原理、主な特徴と本発明の長所を表明し説明した。本業界の技術者が了解すべきなのは本発明は上記の実施例の制限を受けなく、上記の実施例と説明書に説明したのは本発明の原理で、本発明の意義と原理から離れない前提に本発明に各種の変化と改善があり、これらの変化と改善が本発明の保護範囲にある。本発明の保護範囲は添付の特許請求の範囲と同等内容に画定される。
【発明の効果】
【００１３】
本発明の有益な効果は、以下の通りである。1. 係着端と係着溝と正確に合わせて、徐々に係着溝に挿入し、係着端が係着溝に挿入し第一斜面と第二斜面に当接しスライド可能に係合させ、これにより係着端を通じて滑り移動板を右水平に押して、この同時に係着端が係着溝が係合し接続する状態にあり、電気ブロックが電気穴が係合し接続する状態にあり、ロック溝と第一滑り移動溝が相対状態にあり、第一弾圧件の押圧作用のもとで、滑り移動板がロック溝に挿入し係合し接続し係着端を係着溝にロックし、これにより係着端が運輸台の接続安定性を確保し、その後に推移レバーが滑り移動台を左にスライドさせ、推移レバーの押動作用のもとで滑り移動台が伝達溝の一番左端に位置し、上電気ブロックと下電気ブロックがそれぞれ上電気筐体と下電気筐体と係合し接続し通電し、これにより電気穴を通電し、電気ブロックを通電し、これにより電気吸盤に電力供給し、同時にロックレバーが回転可能なように弧辺ロック溝に挿入し推移レバーの位置をロックし、これにより電気吸盤の通電の安定性を保証し、電機吸盤に安置される貨物棚を吸着することが便利である。
【００１４】
2. ロックレバーを下に回転可能なようにし、第二弾圧件の押圧作用のもとでロックレバーが右に押動され、ロックレバーが右に押動し滑り移動台と連動して右にスライドし、これにより上電気ブロックと下電気ブロックがそれぞれ上電気筐体と下電気筐体と離脱し係合し接続し、これにより電気穴を通電し、これにより電気吸盤を通電し、その後に推移レバーを右に押動し、これにより滑り移動板がロック溝との係合接続から離脱し、係着端のロックを解除し、その後に係着溝の中から係着端を引き抜いたら係着端が係着溝との係合接続から離脱し、その後に推移レバーを緩めて、第一弾圧件の押圧作用のもとで、滑り移動板が左に押動され初期位置状態に戻って、これにより次に電気吸盤を通電し吸着することが便利で、これにより電気吸盤の通電吸着の安全性を高める。
【００１５】
3. 本発明の全体構造が簡単で、設計が安全で合理的で、電気吸盤を通電し吸着する同時に電気吸盤をロックし、電気吸盤が通電し接触不良などの電気現象で感電事故が発生することを避けて、現在の生活の中の感電事故を大きく減らし、電気吸盤が通電する時の安全性と安定性を保証し、電気吸盤の吸着効率を高める。
【図面の簡単な説明】
【００１６】
本発明の実施例また既存の技術の中の技術方案をもっとはっきりと説明するため、下記に実施例また既存の技術の説明の中に使用する必要がある図面に簡単な紹介を行って、一目でわかることは下記の説明の中の図面はただ本発明のいくつかの実施例で、本領域の当業者にとって、創造的な労働を払わないことを前提に、これらの図面に基づいてそのほかの図面を得ることができる。
【００１７】
【図１】図１は本発明の知能倉庫運輸システムの全体構造概略図である。
【図２】図２は図１の中の電気吸盤が通電とロック状態にある時の構造概略図である。
【図３】図３は図１の局部図である。
【発明を実施するための形態】
【００１８】
下記に図面を交え本発明の好ましい実施例を詳しく説明し、本発明の長所と特徴を本分野の技術者にもっとわかりやすく理解させ、これにより本発明の保護範囲にもっと明確な画定を行う。
【００１９】
図1〜3が示す知能倉庫運輸システムを参照し、運輸台3、前記運輸台3と接続する係着端2と前記係着端2と接続する電気吸盤1を含み、前記係着端2の底端面の中心に電気ブロック4が設置され、前記係着端2の底端面の右側に第一斜面5が設置され、前記係着端2の右端面に右に向かうロック溝6が設置され、前記運輸台3の頂端面の中心に前記係着端2を挿入し係合し接続する係着溝13が設置され、前記係着溝13の底端壁の中心に前記電気ブロック4と係合し接続する電気穴14が設置され、前記係着溝13の右側に第一滑り移動溝9が設置され、前記第一滑り移動溝9の上端に上に向かう前記運輸台3の外部と連結する開筐体15が設置され、前記第一滑り移動溝9の右端壁にキャビティ12が設置され、前記第一滑り移動溝9に左右にスライド可能に滑り移動板8が設置され、前記滑り移動板8の上端面に前記開筐体15と摺動可能なように係合して接続する上に伸びる滑り押しレバー10が設置され、前記滑り移動板8の頂端面左側に前記第一斜面5と当接しスライド可能なように係合する第二斜面7が設置され、前記滑り移動板8の右端に第一弾圧件11が接続され、前記第一弾圧件11が前記滑り移動板8と離れる一端が前記キャビティ12の右端壁に接続し、前記運輸台3の中に前記係着溝13の下側に伝達溝19が設置され、前記伝達溝19の右端に推移装置16が設置され、前記伝達溝19に左右にスライドできる滑り移動台22が設置され、前記伝達溝19の左端壁に上下対称に上電気ブロック20と下電気ブロック21が設置され、前記滑り移動台22の左端面に上下対称に前記上電気ブロック20と前記下電気ブロック21と係合し接続し通電する上電気筐体24と下電気筐体23が設置され、前記上電気ブロック20が前記電気穴14と電気的に接続し、前記下電気ブロック21が商用電源と接続し、前記上電気筐体24が前記下電気筐体23と互いに電気的に接続する。
【００２０】
好ましくは、前記推移装置16は前記伝達溝19と前記運輸台3の外部を連結する開筐体28と前記開筐体28に設置される推移レバー27を含み、前記開筐体28の左端にパネル29が固定的に設置され、前記推移レバー27の左端が前記パネル29を通り抜けて前記パネル29と左右に摺動可能なように係合して接続し、前記推移レバー27の左端が前記滑り移動台22と固定的に接続し、前記推移レバー27の左端位置に近づく所に凸角26が固定的に設置され、前記推移レバー27に前記パネル29と前記凸角26の間に位置する所に第二弾圧件25が周設され、前記推移レバー27の下端に前記推移レバー27とヒンジで連結するロックレバー17が設置され、前記運輸台3の下端面に前記開筐体28と連結する弧辺ロック溝18が設置され、前記ロックレバー17のロック部が回転可能なように前記弧辺ロック溝18に挿入し、これにより通電接触の安定性と停電解錠の高速性を保証する。
【００２１】
好ましくは、前記第一斜面5と前記第二斜面7の傾斜角度が同一であり、前記ロック溝6が前記第一滑り移動溝9のノッチ面積が同一であり、これにより前記滑り移動板8が前記ロック溝6に挿入し係合し接続する。
【００２２】
本装置を使用する時、前記係着端2と前記係着溝13と正確に合わせて、徐々に前記係着溝13に挿入し、前記係着端2が前記係着溝13に挿入し前記第一斜面5と前記第二斜面7に当接しスライド可能に係合させ、これにより前記係着端2を通じて前記滑り移動板8を右水平に押して、この同時に前記係着端2が前記係着溝13が係合し接続する状態にあり、前記電気ブロック4が前記電気穴14が係合し接続する状態にあり、前記ロック溝6と前記第一滑り移動溝9が相対状態にあり、前記第一弾圧件11の押圧作用のもとで、前記滑り移動板8が前記ロック溝6に挿入し係合し接続し前記係着端2を前記係着溝13にロックし、これにより係着端2が運輸台3の接続安定性を確保し、その後に前記推移レバー27が前記滑り移動台22を左にスライドさせ、前記推移レバー27の押動作用のもとで前記滑り移動台22が前記伝達溝19の一番左端に位置し、前記上電気ブロック20と前記下電気ブロック21がそれぞれ前記上電気筐体24と前記下電気筐体23と係合し接続し通電し、これにより前記電気穴14を通電し、前記電気ブロック4を通電し、これにより前記電気吸盤1に電力供給し、同時に前記ロックレバー17が回転可能なように前記弧辺ロック溝18に挿入し前記推移レバー27の位置をロックし、これにより前記電気吸盤1の通電の安定性を保証し、これにより電機吸盤に安置される貨物棚を吸着することが便利である。前記電気吸盤1の安定性を保証し、電気吸盤1を通電し吸着し使用する必要がない時に、前記ロックレバー17を下に回転可能なようにし、前記第二弾圧件25の押圧作用のもとで前記ロックレバー17が右に押動され、前記ロックレバー17が右に押動し前記滑り移動台22と連動して右にスライドし、これにより前記上電気ブロック20と前記下電気ブロック21がそれぞれ前記上電気筐体24と前記下電気筐体23と離脱し係合し接続し、これにより前記電気穴14を通電し、これにより前記電気吸盤1を通電し、その後に前記推移レバー10を右に押動し、これにより前記滑り移動板8が前記ロック溝6との係合接続から離脱し、前記係着端2のロックを解除し、その後に前記係着溝13の中から前記係着端2を引き抜いたら前記係着端2が前記係着溝13との係合接続から離脱し、その後に前記推移レバー10を緩めて、前記第一弾圧件11の押圧作用のもとで、前記滑り移動板8が左に押動され初期位置状態に戻って、これにより次に電気吸盤1を通電し吸着することが便利で、これにより電気吸盤の通電吸着の安全性を高める。
【００２３】
本発明の有益な効果は、以下の通りである。1. 係着端と係着溝と正確に合わせて、徐々に係着溝に挿入し、係着端が係着溝に挿入し第一斜面と第二斜面に当接しスライド可能に係合させ、これにより係着端を通じて滑り移動板を右水平に押して、この同時に係着端が係着溝が係合し接続する状態にあり、電気ブロックが電気穴が係合し接続する状態にあり、ロック溝と第一滑り移動溝が相対状態にあり、第一弾圧件の押圧作用のもとで、滑り移動板がロック溝に挿入し係合し接続し係着端を係着溝にロックし、これにより係着端が運輸台の接続安定性を確保し、その後に推移レバーが滑り移動台を左にスライドさせ、推移レバーの押動作用のもとで滑り移動台が伝達溝の一番左端に位置し、上電気ブロックと下電気ブロックがそれぞれ上電気筐体と下電気筐体と係合し接続し通電し、これにより電気穴を通電し、電気ブロックを通電し、これにより電気吸盤に電力供給し、同時にロックレバーが回転可能なように弧辺ロック溝に挿入し推移レバーの位置をロックし、これにより電気吸盤の通電の安定性を保証し、電機吸盤に安置される貨物棚を吸着することが便利である。
【００２４】
2. ロックレバーを下に回転可能なようにし、第二弾圧件の押圧作用のもとでロックレバーが右に押動され、ロックレバーが右に押動し滑り移動台と連動して右にスライドし、これにより上電気ブロックと下電気ブロックがそれぞれ上電気筐体と下電気筐体と離脱し係合し接続し、これにより電気穴を通電し、これにより電気吸盤を通電し、その後に推移レバーを右に押動し、これにより滑り移動板がロック溝との係合接続から離脱し、係着端のロックを解除し、その後に係着溝の中から係着端を引き抜いたら係着端が係着溝との係合接続から離脱し、その後に推移レバーを緩めて、第一弾圧件の押圧作用のもとで、滑り移動板が左に押動され初期位置状態に戻って、これにより次に電気吸盤を通電し吸着することが便利で、これにより電気吸盤の通電吸着の安全性を高める。
【００２５】
3. 本発明の全体構造が簡単で、設計が安全で合理的で、電気吸盤を通電し吸着する同時に電気吸盤をロックし、電気吸盤が通電し接触不良などの電気現象で感電事故が発生することを避けて、現在の生活の中の感電事故を大きく減らし、電気吸盤が通電する時の安全性と安定性を保証し、電気吸盤の吸着効率を高める。
【００２６】
以上に本発明の基本原理、主な特徴と本発明の長所を表明し説明した。本業界の技術者が了解すべきなのは本発明は上記の実施例の制限を受けなく、上記の実施例と説明書に説明したのは本発明の原理で、本発明の意義と原理から離れない前提に本発明に各種の変化と改善があり、これらの変化と改善が本発明の保護範囲にある。本発明の保護範囲は添付の特許請求の範囲と同等内容に画定される。
【図１】
2019182645.tif 000003
【図２】
2019182645.tif 000004
【図３】
2019182645.tif 000005